(57)【要約】      （修正有）【課題】感知機能のある照明器具の感知モジュールを提供する。【解決手段】ランプフード２０に結合される接続モジュール１０と、接続モジュールに電気的連接されるコントロールボックス３０と、前記接続モジュールとコントロールボックスの間は延伸線５０によって連接され、コントロールボックスに結合される感知ユニットとを具備し、感知ユニット４０は複数個の感知エレメントを備える。【選択図】図５
0003151109.tif 000002
【実用新案登録請求の範囲】
【請求項１】
照明装置を備える感知モジュールであって、
ランプフード20に結合される接続モジュール10と、
接続モジュール10に電気的連接されるコントロールボックス30と、
接続モジュール10とコントロールボックス30の間は延伸線50によって連接され、
コントロールボックス30に結合される感知ユニット40とを含み、
その感知ユニット40には複数個の感知エレメントを備えることを特徴とする照明装置を備える感知モジュール。
【請求項２】
前記延伸線50は接続モジュール10から開放空間まで延伸し、前記コントロールボックス30と前記感知ユニット40は開放空間の任意の位置に設置されるものを特徴とする請求項１記載の照明装置を備える感知モジュール。
【請求項３】
前記感知ユニットは更に感光エレメント41及び感温エレメント42を備えることを特徴とする請求項１記載の照明装置を備える感知モジュール。
【考案の詳細な説明】
【技術分野】
【０００１】
本考案は照明装置を備える感知モジュール(module)に関するもので、特にランプフード(lamp hood)に取り付けられて照明ユニットと結合することができ、かつ如何なる角度と位置に取り付けられるものに関する。
【背景技術】
【０００２】
一般に従来のランプフードはそれの照明効果を高めるため、その反射面がラッパ形または鐘形に設計され、かつ一般家屋に使われる市販のランプフードは光線を集中する、または光線の反射を強化する効果だけを備え、かつ大部分のランプフードを設けている場所は美観の効果を備えるよう希望しているので、常にランプフードを天井または壁の中に埋め込んでいる。そのために一般のランプフードの体積を大きくすることができない。
【０００３】
また、使用者は違った状況に対して違った光線の需要を有し、使用者が感知能力を備えた光源を必要とする場合、一般の感知能力のあるランプ座は体積の小さいランプフード中に取り付けることができないので、使用者は天井または壁の中に埋め込まれたランプフードを取り外し、感知能力のあるランプフードに入れ替えるが、本来取り付けていたランプフードは取り外されて使用できなくなり、使用者の費用がかかってしまう。
そのために本考案は一般サイズのランプフードに使われ、かつ任意の位置に感知器を取り付けて感知機能のある照明器具の感知モジュールを達成しようとするものである。
【考案の概要】
【考案が解決しようとする課題】
【０００４】
本案の目的及び効果は照明装置を備える感知モジュールを提供するもので、それはランプフード内に付け加えられるが照明機能を影響しない接続モジュールを提供し、その接続モジュールは感知ユニット(unit)を備えるコントロールボックス(control box)に連接され、感知の機能を提供するものである。
【課題を解決するための手段】
【０００５】
上述目的を達成するため、本考案の主要技術手段は照明装置を備える感知モジュールを含む。
その照明装置を備える感知モジュールは、ランプフードに結合される接続モジュール、前記接続モジュールに電気的連接されるコントロールボックス、および前記コントロールボックスに結合される感知ユニットを備える。
前記接続モジュールとコントロールボックスの間は延伸線によって連接される。
その感知ユニットには複数個の感知エレメント(element)を備える。
【考案の効果】
【０００６】
前記照明装置を備える感知モジュールはランプフード中に付け加えられる接続モジュールを提供し、その接続モジュールは感知ユニットを備えるコントロールボックスに連接されて感知の機能を有し、そのコントロールボックスには複数個の感知エレメントが設置され、その複数個の感知エレメントは環境中の光線及び温度に対して感知を行い、更にコントロールボックスによって光源をオン(on)するかを決める。
【図面の簡単な説明】
【０００７】
【図１】本考案の接続モジュールの立体分解図である。
【図２】本考案の接続モジュールの縦断面図である。
【図３】本考案の感知ユニットの立体分解図である。
【図４】本考案の組み合わせ外観図である。
【図５】本考案の実施例図（一）である。
【図６】本考案の実施例図（二）である。
【考案を実施するための形態】
【０００８】
[実施例]
図１から図４に照明装置を備える感知モジュールを示す。その照明装置を備える感知モジュールはランプフード20に結合される接続モジュール10と、前記接続モジュール10に電気的連接されるコントロールボックス30と、前記コントロールボックス30に結合される感知ユニット40とを備える。
前記接続モジュール10とコントロールボックス30の間は延伸線50によって連接される。
その感知ユニット40には複数個の感知エレメントを備える。
【０００９】
前記接続モジュール10は更に基座11を含み、基座11の頂上面には陽極導板111及び陰極導板112を備え、陽極導板111の中央には貫通孔を備える。
基座11の底面には結合部113を備え、結合部113は導板114を備え、前記陽極導板111、陰極導板112及び導板114とコントロールボックス30の間は延伸線50によって電気的に連接される。
基座11の頂上面にはねじ台12及び案内柱13が設けられ、ねじ台12と前記陰極導板112は連接し、案内柱13と前記陽極導板111は連接し、案内柱13の中央にはねじ孔131を備え、かつ導栓132はねじ孔131の上方からねじ込まれ、前記案内柱13及び案内柱13とねじ台12の間はまったく接触しなく、または絶縁体によって隔てられる。
【００１０】
基座11の結合部113には更に口銅14を備え、口銅14の底面には貫通孔を備え、かつ口銅14は導板114と連接し、口銅14中には更に導電栓141を備え、導電栓141は口銅14及び陽極導板111の孔を通りぬき、案内柱13の下側からねじ孔131にねじ込まれ、導電栓141と口銅14の間はまったく接触しなく、または絶縁体によって隔たれ、更に導電片142によって導電栓141に結合される。
【００１１】
図２及び図５に示すように、接続モジュール10はランプフード20のランプ台21に取り付けられ、かつ電球60は接続モジュール10に取り付けられ、延伸線50によってコントロールボックス30は開放空間の任意の位置に設置することができる。前記延伸線50は感知ユニット40に電源を提供し、かつコントロールボックス30中には感知スイッチ(switch)を備え、感知ユニット40が環境中の温度及び光源の変化を感知したら、コントロールボックス30中の感知スイッチは直ちに導板114及び陰極導板112を通電路に形成し、電球60は直ちに点灯する。が、環境中の光源及び温度の状態が本来の状態に戻った場合、コントロールボックス30中の感知スイッチは導板114及び陰極導板112の通電路を遮断するため、電球は消灯する。
【産業上の利用可能性】
【００１２】
本考案の長所は伝統的感知ユニットのないランプフード内に取り付けることができ、かつ元来のランプフードを取り外す必要がなく、取り外しの手順が免れ、取り付けの手順もより簡単になり、かつ本案の接続モジュール10は体積が小さく、各種方向ランプ台のランプフードに適用することができ（図５及び図６に示す如く）、元の古いランプフードを取り外すためにコストが増えることなく、更に本考案の感知ユニット40は延伸線50の延伸によって開放空間の任意の位置に取り付けられ、本考案の応用性を高めることができる。
【符号の説明】
【００１３】
１０      接続モジュール
１１      基座
１１１    陽極導板
１１２    陰極導板
１１３    結合部
１１４    導板
１２      ねじ台
１３      案内柱
１３１    ねじ孔
１３２    導栓
１４      口銅
１４１    導電栓
２０      ランプフード
２１      ランプ台
３０      コントロールボックス
４０      感知ユニット
４１      感光エレメント
４２      感温エレメント
５０      延伸線
６０      電球
【図１】
0003151109.tif 000003
【図２】
0003151109.tif 000004
【図３】
0003151109.tif 000005
【図４】
0003151109.tif 000006
【図５】
0003151109.tif 000007
【図６】
0003151109.tif 000008